(57)【要約】【課題】施工経費を最小限に抑えながら地震や車両の接触等による不測の事態の発生時においても容易に倒壊することのない新たなブロック塀。【解決手段】基礎コンクリート１と、基礎コンクリート１上に複数のコンクリートブロック２０を組積してブロック壁２を形成し、基礎コンクリート１とブロック壁２とを縦筋３によって補強したブロック塀において、基礎コンクリート１には、上記縦筋３の周囲に上面に開口する凹部１３を形成し、上記縦筋３に沿って上記ブロック２０の上下方向に連続充填されたモルタルを上記凹部１３にも連続して充填した。【選択図】図２
2007291621.tif 000002
【特許請求の範囲】
【請求項１】
基礎コンクリートと、基礎コンクリート上に複数のコンクリートブロックを組積みしてブロック壁を形成し、基礎コンクリートとブロック壁とを縦筋によって補強したブロック塀において、
上記基礎コンクリートには、上記縦筋の周囲に上面に開口する凹部を形成し、上記縦筋に沿って上記コンクリートブロックの上下方向に連続充填されたモルタルを上記凹部にも連続して充填したことを特徴とするブロック塀。
【請求項２】
基礎コンクリートと、基礎コンクリート上に複数のコンクリートブロックを組積みしてブロック壁を形成し、基礎コンクリートとブロック壁とを縦筋によって補強したブロック塀において、
上記ブロック壁の下段のコンクリートブロックから上記基礎コンクリートに補強鉄筋を通し、この補強鉄筋の下部を基礎コンクリートに埋設するとともに、上端に設けられた押え手段によって上記下段のコンクリートブロックの上部を押さえたことを特徴とするブロック塀。
【請求項３】
基礎コンクリートと、基礎コンクリート上に複数のコンクリートブロックを組積みしてブロック壁を形成し、基礎コンクリートとブロック壁とを縦筋によって補強したブロック塀において、
上記基礎コンクリートには、上記縦筋の周囲に上面に開口する凹部を形成し、上記縦筋に沿って上記ブロックの上下方向に連続充填されたモルタルを上記凹部にも連続して充填し、
上記凹部が形成されていない部分には、上記ブロック壁の下段のコンクリートブロックから上記基礎コンクリートに補強鉄筋を通し、この補強鉄筋の下部を基礎コンクリートに埋設するとともに、上端に設けられた押え手段によって上記下段のコンクリートブロックの上部を押さえた
ことを特徴とするブロック塀。
【発明の詳細な説明】
【技術分野】
【０００１】
本発明は、倒壊防止のための特別の構造を備えるブロック塀に関する。
【背景技術】
【０００２】
従来から良く知られているブロック塀は、通常、基礎コンクリート上に複数のコンクリートブロックからなるブロック壁を組積してなり、基礎コンクリートの過半部が基礎地中に埋設状態とされて倒壊しないように支えられており、基礎コンクリート上に積み上げられるブロック壁は縦筋を利用してモルタルで固められて基礎コンクリート上に結合支持されている。
【０００３】
昨今、ブロック塀の地震や自動車等の車両接触等による倒壊事故がしばしば発生しており、倒壊したブロック塀の下敷きとなりケガをしたり、時には死亡する人さえ出るという現状であり、ブロック塀の安全性が問題視される中で、一般的には倒壊防止対策としては、施工に際しての基礎コンクリート部の強化や、既存の鉄筋を太くする等の鉄筋増量等が行われている。
【０００４】
ところで、従来公知のブロック塀は、既述のように、基礎コンクリート上に積み上げられるブロックが根付けモルタルによって基礎コンクリート上に接着される。しかし、基礎コンクリートの上面は一般に金ゴテで平滑に仕上げられるため、基礎コンクリートとその上のブロックとの間、すなわち根付け部分では十分な接着強度が得られにくい。一方、地震などの外力がブロック塀に作用する場合、接着力に弱点のある根付け部分に大きな力が作用することになり、根付け部分から倒壊しやすくなっている。
【０００５】
したがって、本来このようなブロック塀においては、その倒壊防止策として施工や構造的視点に基づいた対策が必要であるが、上述のブロック塀倒壊の要因である根付け部分の強化のための対策は格別採られていないのが現状である。
【０００６】
そして、また、仮にこの公知ブロック塀において倒壊防止のための強化策が採られたとしても、上述の従来一般的に行われてきたブロック塀の倒壊防止のための強化策を考えると、その対策は、既存の鉄筋を太くする鉄筋量の増量を施すなどであり、根付け部分に着目した対策はなかった。ブロック塀における既存の鉄筋を太くする等の鉄筋量の増量による倒壊防止策は、勿論それなりの効果は期待できるところであるが、ブロック塀の施工における経費の増大を招くものであり、施工経費の節約の面からすると必ずしも上述の鉄筋量の増量策は上述の公知ブロック塀の倒壊防止策としての最良策であるとは言えない。
【発明の開示】
【発明が解決しようとする課題】
【０００７】
以上のように、施工経費の節約が望まれる中で、鉄筋量を全く増量することなく、もしくは増量するにしても比較的僅かな鉄筋量の増量で、施工経費の増大を最小限に抑えながら上述の公知ブロック塀の構造的問題に言及した倒壊防止策を該ブロック塀に施すことで、地震や車両接触等の不測の事態の発生においても容易に倒壊することのないブロック塀の提供が求められている。
【０００８】
上述したような状況の中で、本発明は上述の公知ブロック塀における上述の問題点の解消が図られた新たなブロック塀の提供をその課題とするものであり、上述の公知ブロック塀の倒壊における構造的要因に着目し、つまり、基礎コンクリートと積み上げブロック壁との境界部である根付け部の構造的弱点に着目した上述の公知ブロック塀の改良の提案であり、発明その施工経費を最小限に抑えながら地震や車両の接触等による不測の事態の発生時においても容易に倒壊することのない新たなブロック塀を提供することをその課題とする。
【課題を解決するための手段】
【０００９】
前記課題を解決するため、請求項１に係る発明は、基礎コンクリートと、基礎コンクリート上に複数のコンクリートブロックを組積してブロック壁を形成し、基礎コンクリートとブロック壁とを縦筋によって補強したブロック塀において、上記基礎コンクリートには、上記縦筋の周囲に上面に開口する凹部を形成し、上記縦筋に沿って上記コンクリートブロックの上下方向に連続充填されたモルタルを上記凹部にも連続して充填したことを特徴とする。
【００１０】
請求項２に係る発明は、基礎コンクリートと、基礎コンクリート上に複数のコンクリートブロックを組積してブロック壁を形成し、基礎コンクリートとブロック壁とを縦筋によって補強したブロック塀において、上記ブロック壁の下段のコンクリートブロックから上記基礎コンクリートに補強鉄筋を通し、この補強鉄筋の下部を基礎コンクリートに埋設するとともに、上端に設けられた押え手段によって上記下段のコンクリートブロックの上部を押さえたことを特徴とする。
【００１１】
請求項３に係る発明は、基礎コンクリートと、基礎コンクリート上に複数のコンクリートブロックを組積してブロック壁を形成し、基礎コンクリートとブロック壁とを縦筋によって補強したブロック塀において、上記基礎コンクリートには、上記縦筋の周囲に上面に開口する凹部を形成し、上記縦筋に沿って上記ブロックの上下方向に連続充填されたモルタルを上記凹部にも連続して充填し、上記凹部が形成されていない部分には、上記ブロック壁の下段のコンクリートブロックから上記基礎コンクリートに補強鉄筋を通し、この補強鉄筋の下部を基礎コンクリートに埋設するとともに、上端に設けられた押え手段によって上記下段のコンクリートブロックの上部を押さえたことを特徴とする。
【発明の効果】
【００１２】
請求項１に係る発明によれば、基礎コンクリートには、縦筋の周囲に上面に開口する凹部を形成し、上記縦筋に沿って上記ブロックの上下方向に連続充填されたモルタルを上記凹部にも連続して充填したので、モルタルはブロックと縦筋を一体化して固定されるとともに、基礎コンクリート内部に入り込むモルタルの柱が形成され、基礎コンクリートと一段目のコンクリートブロック積み上げ部との構造的に弱いとされる境界部分である塀の根付け部を縦筋を太くすることなく強化することができる。したがって、倒壊防止効果の大きな低コストのブロック塀の提供が可能となる。
【００１３】
請求項２に係る発明によれば、ブロック壁の下段のコンクリートブロックから上記基礎コンクリートに補強鉄筋を通し、この補強鉄筋の下部を基礎コンクリートに埋設するとともに、上端に設けられた押え手段によって上記下段のコンクリートブロックの上部を押さえたので、基礎コンクリートと下段のコンクリートブロックの境界部は補強鉄筋により強化され、補強鉄筋の長さは最下段のコンクリートブロックまででもよいので、鉄筋の増量を最小限に抑えて倒壊防止効果の大きなブロック塀を提供することが可能となる。
【００１４】
請求項３に係る発明は、基礎コンクリートには、縦筋の周囲に上面に開口する凹部を形成し、上記縦筋に沿って上記ブロックの上下方向に連続充填されたモルタルを上記凹部にも連続して充填するとともに、ブロック壁の下段のコンクリートブロックから上記基礎コンクリートに補強鉄筋を通し、この補強鉄筋の下部を基礎コンクリートに埋設するとともに、上端に設けられた押え手段によって上記下段のコンクリートブロックの上部を押さえているので、モルタルはブロックと縦筋を一体化して固定するとともに、基礎コンクリート内部に入り込むモルタルの柱が形成され、基礎コンクリートと下段のコンクリートブロックの境界部は補強鉄筋により強化されるので、塀の根付け部をより一層強化してより有効にブロック壁の倒壊を防止することができる。
【００１５】
また、補強鉄筋の長さは最下段のコンクリートブロックまででよいので、鉄筋の増量を最小限に抑えることができる。
【発明を実施するための最良の形態】
【００１６】
・実施形態１
図１ないし図４に基づいて本発明の実施形態１を説明する。
【００１７】
図１に図示されるようにブロック塀Ａは、コンクリートの打設により施工される基礎コンクリート１と、この基礎コンクリート１上にコンクリートブロック（以下ブロックという）２０を複数段組積して形成されるブロック壁２とからなる。最上部に積まれたブロック２０の上には笠木２１が取付け固定されている。
【００１８】
基礎コンクリート１は、基礎地Ｂに所定長さで、所定の幅と深さの溝を掘り、この溝に砕石等を敷いて下地を整えてから突き固め、枠板を嵌め込み、溝の延長方向の所定間隔に配置した縦筋３と、縦筋３の相互間を互いに結束する横筋（あばら筋）４を配置し、その後、コンクリートを打設することで通常施工されている。
【００１９】
基礎コンクリート１は、その上面に組積みされるブロック２０のブロック壁２を倒れることなく支える必要があることから、その過半部を基礎地Ｂ中に埋設する構造となっている。
【００２０】
基礎コンクリート１の基礎地Ｂ表面から露出する露出部は、通常ブロック２０の高さより低目に設定され、この露出部の上面は、比較的精度の高い水平面として仕上げられており、これによりブロック２０の各段における積み上げが高い精度で行われて、長期に亘り歪みや傾きによる倒壊等の発生の恐れのない高い安全性が確保されたブロック塀２が得られる。
【００２１】
また、基礎コンクリート１の上面の幅は、図２に図示されるように、積み上げられるブロック２０の幅よりやや広目とされ、これによりブロック塀Ａの安定性が確保され、またブロック２０の積み上げは上述の上面の高い水平度の確保とその幅の広さが相俟ってブロック２０の積み上げの作業性を向上させている。そして、また、ブロック２０の積み上げ上面の幅広構造はブロック壁２の視観的安定感を増大させる効果もある。
【００２２】
基礎コンクリート１には所定の間隔で多数の縦筋３と横筋４が配置されている。縦筋３は基礎コンクリート１には１本おきに上方に延出され、ブロック２つ置きに配筋されている。縦筋３の太さは、通常直径１０ｍｍのものが使用される。
【００２３】
そして、特徴的には、図１、図２に図示されるように、基礎コンクリートの上面には、上記縦筋３の周囲に上面に開口する凹部１３が形成されている。
【００２４】
これら凹部１３は、ブロック２０の積み上げにおけるモルタル３０の充填空間として供されるものであり、基礎コンクリート１の打設時の治具としての筒体１４（図４参照）の介在により形成されるものである。なお、凹部１３の形成は後述される。
【００２５】
すなわち、ブロック２０の端部には凹溝２１が形成され、ブロック２０の組積み時には、図１、図３等により理解できるように、隣り合うブロック２０、２０の突合せによりブロック壁２には長い円柱状の空間Ｓが形成される。この空間に縦筋３が配置され、モルタル３０で固めるようになっている。これにより、モルタル３０はブロック壁２内で柱状に形成されている。
【００２６】
そして、基礎コンクリート上面に積み上げられた一段目の２つのブロック２０の凹部１３に充填されたモルタル３０は上記柱状モルタル３０と連続一体となる。
【００２７】
したがって、基礎コンクリ−ト１と、基礎コンクリート１上に積み上げ形成されたブロック壁２との境界である根付け部が強化される。
【００２８】
上述のように、基礎コンクリート１の上面に凹部１３を形成してモルタルを充填するにあたっては、基礎コンクリート１を成形する際に、コンクリートパネルの内側にコンクリートを充填するときに、各縦筋３に筒体１４（図４参照）を通し、筒体１４の下部を基礎コンクリート１の上面よりも下にして保持させ、コンクリートを打設する。コンクリートが硬化した後、筒体１４を抜き取れば、縦筋３の周囲に上方に開口する凹部１３が形成される（図２参照）。
【００２９】
基礎コンクリート１上に一段目のブロック２０を積んだ後、一段目のブロック２０上にモルタルを載せ、その上に二段目のブロック２０を積み、以下順に組積していく。そして、隣り合うブロック２０、２０間に形成された長い円柱状の空間Ｓにモルタル３０を充填して連続させればよい。
【００３０】
上記施工方法により施工されたブロック塀２は、ブロック２０の組積みによるブロック接合のモルタル３０が基礎コンクリート上面で該基礎コンクリート１内部に入り込む構造とされるので、基礎コンクリート１とその上に積み上げられるブロック壁２の境界である根付け部を強化することができる。
【００３１】
・実施形態２
本発明の実施形態１の基礎コンクリート１とブロック壁２との根付け部の強化策の別の実施形態を、図５〜図７に基づいて説明する。なお、ブロック塀Ａの構造や施工における実施形態１との共通部分については、その説明を省略するが、一部重複説明される部分については共通部分は原則同一符号を用いて説明する。
【００３２】
基礎コンクリート１には縦筋３（あばら筋３ａを含む）と横筋４が配筋され、縦筋３は基礎コンクリート１には１本おきに上方に延出され、ブロック２つ置きに配筋されている。基礎コンクリート１上にはブロック２０が組積みされるが、隣り合うブロック２０の突合せ部には、実施形態１の場合と同様に、モルタルが充填される。
【００３３】
ところで、基礎コンクリートの縦筋３のうち、そのあばら筋３ａには補強鉄筋６の下部６ａが埋設状態でワイヤにより結束され、補強鉄筋６の先端部６ｂは基礎コンクリート部面から１段目のブロック２０の上方に突出している。補強鉄筋６の先端部にはネジ７が切られており、このネジ７に押え手段としての当て板８を介してナット９（蝶ネジのようなものでもよい）が螺合され、ナット９の締付けにより、一段目に積み上げられたブロック２０は補強鉄筋６を介して基礎コンクリート１と一体化されている。
【００３４】
基礎コンクリート１上に一段目のブロック２０を積んだ後、一段目のブロック２０上にモルタルを載せ、その上に二段目のブロック２０を積み、以下順に組積していく。
【００３５】
以上説明したように、一段目のブロック２０と基礎コンクリート１とは補強鉄筋６と当て板８を介して一体化され、根付け部は強化されているから、ブロック壁２の倒壊の恐れは殆ど解消される。
【００３６】
また、補強鉄筋６は一段目のブロック２０の積み上げに必要な長さを備えればよいので短くて済み、最小限の鉄筋の増量使用で倒壊防止効果の大きなブロック塀Ａを提供することができる。
【００３７】
・実施形態３
次に示す実施形態３は、実施形態１と実施形態２で開示された両強化策を併用したブロック塀Ａである。
【００３８】
すなわち、図８に図示されるように、基礎コンクリート１の上方に延出した縦筋３を挟んで突き合わさられたブロック２０には、隣り合うブロック２０、２０間に形成された長い円柱状の空間Ｓにモルタル３０が連続充填されている。
【００３９】
これによれば、ブロック２０の組積みによるブロック接合のモルタル３０が基礎コンクリート上面で凹部１３の内部に入り込む構造なので、基礎コンクリート１とその上に積み上げられるブロック壁２の境界である根付け部を強化することができる。
【００４０】
また、基礎コンクリート１の上面において、上方に延出された縦筋３の間に突き合わさられたブロック２０には、下部が基礎コンクリート１に埋設された補強鉄筋６の上端ネジ７に押え手段としての当て板８を介してナット９が螺合され、ナット９の締付けにより、一段目のブロック２０を基礎コンクリート１と一体化される。
【００４１】
これによれば、一段目のブロック２０と基礎コンクリート１とは補強鉄筋６と当て板８を介して一体化され、根付け部は強化されている。
【００４２】
したがって、凹部１３の充填モルタルと当て板８の押えの相乗効果によりブロック壁２は強固に支持され、ブロック塀Ａの倒壊の恐れは殆ど解消される。
【図面の簡単な説明】
【００４３】
【図１】本発明のブロック塀の主要構造部を示す側断面図
【図２】図１におけるＸ−Ｘ線上の断面図
【図３】図１におけるＹ−Ｙ線上の断面図
【図４】凹部の形成態様説明図
【図５】本発明の別の実施形態の主要構造部を示す側断面図
【図６】図５における主要構造部の拡大図
【図７】上記主要構造部の要部の斜視図
【図８】本発明のさらに別の実施形態の主要構造部を示す側面図
【符号の説明】
【００４４】
Ａ  ブロック塀
１  基礎コンクリート
２  ブロック壁
３  縦筋
３ａ  埋設縦筋
４  横筋
６  補強鉄筋
１３  凹部
２０  ブロック
【図１】
2007291621.tif 000003
【図２】
2007291621.tif 000004
【図３】
2007291621.tif 000005
【図４】
2007291621.tif 000006
【図５】
2007291621.tif 000007
【図６】
2007291621.tif 000008
【図７】
2007291621.tif 000009
【図８】
2007291621.tif 000010